(57)【要約】      （修正有）【課題】視覚だけではなく嗅覚に訴えることにより、犬が異性として確実に反応して行動するために、性的欲求を満足させ、種々の問題が解決されることにもなる犬用のラブドールを提供する。【解決手段】雌犬を象ったラブドール１と、雌犬から採取し若しくは人工的につくった少なくとも性フェロモンからなるフェロモンとの組合せであって、そのラブドール１に該フェロモンを発散可能に付着し、もしくは、該フェロモンを発散可能に付着できるように付属的に具備している。視覚だけではなく嗅覚に訴えるので、雄犬に行動をおこしやすく、障害なく雄犬を制御しやすく、性フェロモンにより性欲を満足させ得る。【選択図】図１
2010094092.tif 000002
【特許請求の範囲】
【請求項１】
雌犬を象ったラブドールと、雌犬から採取し若しくは人工的につくった少なくとも性フェロモンからなるフェロモンとの組合せであって、そのラブドールに該フェロモンを発散可能に付着し、もしくは、該フェロモンを発散可能に付着できるように付属的に具備していることを特徴とする犬用のラブドール。
【請求項２】
フェロモンを発散可能に付着する手段として、ラブドールの外陰部に、フェロモンの発散体を着脱する装填穴を設けてあることを特徴とする請求項１記載の犬用のラブドール。
【請求項３】
フェロモンを発散可能に付着できるように具備する対象が、フェロモンが収容されてなるスプレーガンまたは容器であることを特徴とする請求項１記載の犬用のラブドール。
【発明の詳細な説明】
【技術分野】
【０００１】
この発明は、飼い犬、殊に雄犬に性的欲求を満足させるために与える犬用のラブドールに関する。
【背景技術】
【０００２】
現在、全国に１３００万匹の犬が飼われているといわれるが、犬が他人にかみつくなどの被害が相次ぎ問題となっている。そこで、飼い主には犬を紐でつないでおいたり、家の中で飼うというように、放し飼いにしないことが求められるが、そうしたきびしい状況が続くと、殊に雄犬であると、性的欲求が発散できなく、これがストレスとなるので、散歩に連れた犬が他人にかみついたり吠えたりいちゃついたりして被害を与える事故が多発している。
【０００３】
また、犬を家族の一員として家庭内で飼うことが多くなっているが、こうした場合には、さらに性的欲求が果たされなくさらにストレスとなりやすい。こうなると、他人に被害を与えるという問題の解決ばかりでなく、可哀相だという動物愛護の精神から犬を救うために、犬を象ったラブドールを与えることが考えられているが、こうしても視覚だけでは犬は行動しなくそれを無視するために問題の解決には至らなかった。
【発明の開示】
【発明が解決しようとする課題】
【０００４】
この発明は、上記のような実情に鑑みて、視覚だけではなく嗅覚に訴えることにより、犬が異性として確実に反応して行動するために、性的欲求を満足させ、種々の問題が解決されることにもなる犬用のラブドールを提供することを課題とした。
【課題を解決するための手段】
【０００５】
上記の課題を解決するために、この発明は、雌犬を象ったラブドールと、雌犬から採取し若しくは人工的につくった少なくとも性フェロモンからなるフェロモンとの組合せであって、そのラブドールに該フェロモンを発散可能に付着し、もしくは、該フェロモンを発散可能に付着できるように付属的に具備していることを特徴とする犬用のラブドールを提供する。
【発明の効果】
【０００６】
以上説明したように、この発明の犬用のラブドールによれば、視覚だけではなく嗅覚に訴えるので、雄犬に行動をおこしやすく、しかも、それには雌犬の性フェロモンを使用するので、他の種類の動物や他の臭いとの衝突がなく、障害なく雄犬を制御しやすく、性フェロモンにより性欲を満足させ得ることはもちろん、それを主体にして他のフェロモン、例えば、覚醒・緊張状態を高める警報フェロモンや、逆に緊張を解きリラックスさせる安寧フェロモンなどの併用により、人に迷惑をかけたり事故を起こさないように、雄犬を正常に飼うことが可能となるという優れた効果がある。
【発明を実施するための最良の形態】
【０００７】
フェロモン（リリーサーフェロモン）とは、生物が対外に分泌し、同種の個体間で作用する化学物質である。体内に分泌されてその個体自体に作用するホルモンとは区別される。同種の個体間で作用することを反映して一般的に種特異性が高く、多くは微量で作用する。したがって、本発明のようにラブドールに利用しても他の種の動物に影響を及ぼさない点で管理等の上で好都合である。
【０００８】
また、性フェロモンとは、一般的に、動物個体の外分泌腺（フェロモン腺）から放出され、同種他個体に特異的な反応を引き起こす科学物質である。解発フェロモン（リリーサ）に属する科学物質で、動物のフェロモンを感じ取るための受容器官（鋤鼻器−ヤブコソン器官）よりインプットされ、嗅覚とは異なる経路、鋤鼻器−副嗅球−扁桃体内側核−視床下部で、脳に伝えられる物である。したがって、犬のラブドールに性フェロモンを付着させても他の種の動物が臭いに惑わされるということなく、管理上完全且つ好都合である。
【０００９】
嗅覚系は、一般的な匂いを受容する主嗅覚系とフェロモンを受容する鋤鼻系（副嗅覚系）から構成されているが、両方は別の受容体に属し、フェロモン分子は、鋤鼻感覚細胞に存在する受容体に結合して、感覚細胞の細胞電位を変化させる。細胞の電位変化はインパレス信号に変換され、独自の鋤鼻神経を介してフェロモン情報が脳に送られる。したがって、フェロモンは臭いに影響されることなく、犬に作用を及ぼすことができることから、飼い主は、犬を自由に手なつかせることが可能となる。
【００１０】
また、フェロモンには、他個体に特定の行動を引き起こさせる解発フェロモンと、生理作用に関わる起動フェロモンがある。前者には、前記した性フェロモンの他、集合フェロモン、警報フェロモンなど、後者では階級分化フェロモンなどが知られている。したがって、この発明では、性フェロモンを主体として他のフェロモンを使用し、こうして性フェロモンで誘導することにより、犬を多様に制御できる。言わば性フェロモンを餌にして他のフェロモンを利用させることができる。
【００１１】
しかも、フェロモンは、臭いとして知覚されるわけではない。無意識的な臭いがサブリミナル効果として脳にダイレクトに働きホルモンが分泌が刺激され体が反応する。サブリミナル効果とは、普段私たちが明確に意識しているレベルよりももっと深い部分、つまり「潜在意識」の部分に刺激を与えるものといわれている。したがって、この発明によれば、性フェロモンを主体として他の性フェロモンを多様に使用する上で障害が少ない。
【００１２】
そのうち、性フェロモンは、広範囲の動物に見られ、通常は雌が雄に対する求愛行動（コーリング）として腹部末端のフェロモン腺から空気中に放出し、反応した雄はこれに誘発されて雌に接近する。接近した雄は雌をなだめる等の種々の行動をする。これによって、雄は性的欲求を満足するだけでなく、雌と触れることにより、それに付着しているフェロモンを自分の体に付着させることになる。したがって、ラブドールを介して間接的に雄犬を制御することになり好都合である。
【００１３】
性フェロモンについて、哺乳類のフェロモンについて述べると、発情期の雌犬の膣の分泌物は性フェロモンとして働くが、その本体はバラオキシ安息香酸メチルニスチルである。この物質の少量を非発情期または卵巣を除去した雌犬（これはラブドールに該当する）の外陰部に塗布すると、雄犬は性的に興奮し、これと交尾しようとする。これで性的ストレスが発散されやすい。
【００１４】
この点から考えて、雄犬が交尾を試み得るように、雌形ラブドールの外陰部に性フェロモンを塗布するか、もしくは、後記実施例に示すように、外陰部に主穴を設けそこに性フェロモンを充填ようにすると良い。したがって、この発明では、ラブドールの外陰部に性フェロモンの付着手段または充填手段を備えている実施形態がある。また、その主穴よりもやゝ下に位置して、オナホールをセットする仮穴を設けて、ユーザーの判断において、飼い犬がさらに満足するような使用の仕方を可能にしておくこともできる。
【００１５】
また、雌マウスの尿を雄の皮膚に塗布すると、この雄は他の雄から攻撃されなくなることが知られている。このように、雌の尿中には雄の攻撃行動を抑制するフェロモンを含む。これは雌の分泌するフェロモンが嗅覚を通して作用した結果と推測されている。このような非被攻撃性を犬に利用することもでき、この点については、ラブドールに全体的に性フェロモンの希釈液を塗布すると、雄犬が触れることによりその性フェロモンを帯びる結果、雄犬は他の雄犬から攻撃されなくなる。したがって、この発明では、ラブドールに性フェロモンの噴霧手段を備えている実施形態がある。
【実施例】
【００１６】
次に、この発明について幾つかの実施例を説明する。
【００１７】
図１および図２は、この発明を雄犬用として実施したものを示したものであるから、雌犬を象ったラブドール１であって、それに性フェロモンを発散可能に備え、その方法として、ラブドール１の外陰部としての尻部にカプセル５の装填穴３を設けてある。
【００１８】
カプセル５は、発情時の雌犬から採取したフェロモン６が充填されているが、カプセル５の外皮がやゝ通水性を有するために、フェロモン６が微量ずつ発散するようになっている。カプセル５内の性フェロモン液が無くなったときには、新しいカプセル５と取り替えることができる。
【００１９】
カプセル５内のフェロモンは、原則的には性フェロモンであって、これに例えば覚醒・緊張状態を高める警報フェロモンや、逆に緊張を解きリラックスさせる安寧フェロモンなどを混在させることもある。さらには、フェロモン以外の揮発性の薬液、例えば精神安定剤等を混合してもこの発明の趣旨に反しないものとする。なお、装填穴３の下の位置にオナホールを着脱可能に装填する仮穴（図示しない）を設けることもある。
【００２０】
装填穴３には、カプセル５ばかりでなく、別の発散体を装填するようにできる。これには、例えば、図３に示すように、フェロモンの含浸体７や、錠剤等を挙げることができる。含浸体７の本体には、多孔質のプラスチックや脱脂綿等を使用することができる。
【００２１】
また、図４では、フェロモンを発散可能に付着できるように具備する手段として、フェロモン６が収容されてなるスプレーガン８を、図６ではフェロモン６を包装した容器９を示した。
【図面の簡単な説明】
【００２２】
【図１】この発明の一実施例による犬用のラブドールをフェロモンの発散体とのセットで示す斜視図である。
【図２】同発散体としてのカプセルを示す一部切欠した斜視図である。
【図３】他の発散体としてのフェロモンの含浸体を示す斜視図である。
【図４】フェロモンが収容されるスプレーガンを示す一部切欠した側面図である。
【図５】フェロモンが包装される容器を示す一部切欠した正面図である。
【符号の説明】
【００２３】
１  ラブドール
３  装填穴
５  発散体としてのカプセル
６  フェロモン
７  発散体としての含浸体
８  スプレーガン
９  容器
【図１】
2010094092.tif 000003
【図２】
2010094092.tif 000004
【図３】
2010094092.tif 000005
【図４】
2010094092.tif 000006
【図５】
2010094092.tif 000007